(57)【要約】  クレーンのための吊上ブロックが説明される。吊上ブロックは、スリングまたは吊上フレームなどの持上ツールが連結されることができる積荷フックなどの係合要素を備える。吊上ブロックには、巻上機と、持上ツールを係合要素に運んで係合要素と連結するように構成される送出巻上ケーブルと、が設けられる。また、吊上ブロックが設けられるクレーンが説明される。吊上ブロックは、持上ツールを係合要素に運んで積荷支承手段と連結するため、または支持構造物に対して係合要素を安定化するために、利用されることができる。
2021532039.tif 000002
【特許請求の範囲】
【請求項１】
クレーンのための吊上ブロックであって、スリングまたは吊上フレームなどの持上ツールが連結され得る積荷フックなどの係合要素を備え、前記吊上ブロックは、少なくとも１つの巻上機と、前記持上ツールを前記係合要素に運んで前記係合要素と連結するように構成される送出巻上ケーブルと、をさらに備える、吊上ブロック。
【請求項２】
前記送出巻上ケーブルの自由外側端部に、前記持上ツールのための連結手段が設けられる、請求項１に記載の吊上ブロック。
【請求項３】
前記送出巻上ケーブルの自由外側端部に、前記係合要素のための連結手段が設けられる、請求項１または２に記載の吊上ブロック。
【請求項４】
前記送出巻上ケーブルが、５ｍから１０ｍの間にある制限された長さを有する、請求項１から３のいずれか１項に記載の吊上ブロック。
【請求項５】
前記吊上ブロックが、少なくとも２つの巻上機を備える、請求項１から４のいずれか１項に記載の吊上ブロック。
【請求項６】
前記吊上ブロックが、前記少なくとも１つの巻上機を駆動するための少なくとも１つの駆動部、特に電気駆動部を備える、請求項１から５のいずれか１項に記載の吊上ブロック。
【請求項７】
前記駆動部が、遠隔で制御され得る、請求項６に記載の吊上ブロック。
【請求項８】
前記少なくとも１つの巻上機が、前記送出巻上ケーブルに一定の張力を維持するように構成される、請求項１から７のいずれか１項に記載の吊上ブロック。
【請求項９】
前記少なくとも１つの巻上機が、前記少なくとも１つの巻上機と前記送出巻上ケーブルの前記接続された外側端部との間の動きを減衰させるように構成される、請求項１から８のいずれか１項に記載の吊上ブロック。
【請求項１０】
前記少なくとも１つの巻上機が、前記吊上ブロックに取外し可能に接続される、請求項１から９のいずれか１項に記載の吊上ブロック。
【請求項１１】
請求項１から１０のいずれか１項に記載の吊上ブロックが設けられる、クレーン。
【請求項１２】
前記クレーンが、ラチスブームクレーンを含む、請求項１１に記載のクレーン。
【請求項１３】
持上ツールを係合要素に運んで前記積荷支承手段と連結するための方法であって、請求項１から１２のいずれか１項に記載の吊上ブロックを有するクレーンが提供され、前記吊上ブロックの送出巻上ケーブルが前記持上ツールと連結され、前記持上ツールを前記積荷支承手段に運んで前記積荷支承手段と連結するために、前記送出巻上ケーブルが次に前記少なくとも１つの巻上機により引込まれる、方法。
【請求項１４】
支持構造物に対して係合要素を安定化するための方法であって、請求項１から１３のいずれか１項に記載の吊上ブロックを有するクレーンは、前記支持構造物上に提供され、前記吊上ブロックの送出巻上ケーブルは、前記支持構造物と連結され、張力下で前記吊上ブロックを前記支持構造物に接続するために、前記送出巻上ケーブルは、次に前記少なくとも１つの巻上機により引込まれて張った状態に引っ張られる、方法。
【請求項１５】
前記送出巻上ケーブルが、一定の張力下に保持される、請求項１３または１４に記載の方法。
【請求項１６】
少なくとも２つの、好ましくは少なくとも４つの、巻上機が利用される、請求項１３から１５のいずれか１項に記載の方法。
【請求項１７】
前記支持構造物が、船舶の作業甲板を含む、請求項１３から１６のいずれか１項に記載の方法。
【請求項１８】
前記持上ツールが、風力タービンまたは前記風力タービンの構成要素を持上げるように構成される、請求項１７に記載の方法。
【請求項１９】
前記持上ツールにより風力タービンまたは前記風力タービンの構成要素を持上げるステップをさらに含む、請求項１８に記載の方法。
【発明の詳細な説明】
【技術分野】
【０００１】
本発明は、スリングまたは吊上フレームなどの持上ツールが連結されることができる積荷フックなどの係合要素を備える、クレーンのための吊上ブロックに関する。本発明は、同様に吊上ブロックが設けられるクレーンおよび吊上ブロックが利用される方法に関する。
【背景技術】
【０００２】
本発明は、洋上風力タービンの配置を参照して説明される。しかしながら、この参照は、本発明がそれに限定されることを意味するものではなく、吊上ブロックは、任意の他の構造物を持上げて配置するために等しくよく適用されることができる。したがって、例えば、防波堤、レーダーおよび他のタワーなどの他の洋上基礎構造物のための、および陸上での適用のための吊上構成要素に関連して本発明を適用することが可能である。
【０００３】
水中の底部上に基礎杭などの風力タービンの構成要素を配置するとき、基礎杭は、持上クレーンで船舶から取上げられ、水中の底部上にまたは水中の底部内に降ろされ、この後に、基礎杭が持上クレーンから分離される。このような基礎杭を取上げる目的のために、例えばスリングまたは吊上フレームなどの持上ツールは、基礎杭に取付けられる。持上げる前に、一般的には支持構造物、例えば船舶の作業甲板にまだ位置付けられる、この持上ツールは、吊上ブロックと、特に吊上ブロックに取付けられる積荷フックなどの係合要素と、連結されなければならない。
【０００４】
持上ツールを係合要素と連結することは、一般的には簡単でなく、基礎杭または他の構造物が洋上に配置される必要があるときに特に簡単でない。ここで、作業甲板および作業甲板上に存在する持上クレーンは、波および風力の影響による強い揺動運動を受けるということを考慮することが重要である。これにより、吊上ブロックの制御を維持することは度々困難である。持上げられて設置される構成要素の寸法は、さらに重く大きいため、手動で持上ツールを積荷フックと連結することはもはやできない。したがって、スリングなどの持上ツールを積荷フックに配置するための、支持スリング吊上機、補助クレーン、フォークリフト、または類似の補助装置が必要である。このような設置船舶の作業甲板で利用可能なスペースは、度々輸送される構成要素によりすでに占められており、それにより、これらの補助装置が積荷フックにアクセスすることは困難である。
【０００５】
既知のシステムは、クレーンマストの上部にスリング吊上機を取付けることを含む。このようなスリング吊上機は、作業甲板に降ろされ、積荷フックが次に取付けられる。ここで問題点は、浮かんでいる船舶が波およびうねりを受け、それによりスリング吊上機は、激しく揺れる傾向を有し、これが、船の操作性に問題を生じ得ることである。同様に適用される補助クレーン、フォークリフト、または類似の装置は、作業甲板上で多くのスペースを占めるという欠点を有する。
【発明の概要】
【発明が解決しようとする課題】
【０００６】
本発明の目的は、したがって、上記の欠点を少なくとも部分的に除去することができる、クレーンのための吊上ブロックを提供することである。
【課題を解決するための手段】
【０００７】
本発明によると、請求項１に記載の吊上ブロックは、この目的のために提供される。吊上ブロックは、スリングまたは吊上フレームなどの持上ツールが連結され得る積荷フックなどの係合要素を備え、吊上ブロックは、少なくとも１つの巻上機と、持上ツールを係合要素に運んで係合要素と連結するように構成される送出巻上ケーブルと、をさらに備える。
【０００８】
本発明による装置の実施形態は、送出巻上ケーブルの自由外側端部に、持上ツールのための連結手段が設けられることを特徴とする。
【０００９】
別の実施形態は、送出巻上ケーブルの自由外側端部に、係合要素のための連結手段が設けられる、吊上ブロックを備える。
【００１０】
さらに別の実施形態は、送出巻上ケーブルが、５ｍから２５ｍの間にある制限された長さを有する、吊上ブロックに関する。
【００１１】
さらなる実施形態は、吊上ブロックが、少なくとも２つの巻上機を備える、吊上ブロックを備える。
【００１２】
少なくとも１つの巻上機は、原則として、当業者にとって既知の任意の様式で構成されかつ駆動されることができる。本発明の実際の実施形態においては、吊上ブロックは、少なくとも１つの巻上機を駆動するための少なくとも１つの駆動部、特に電気駆動部を備える。
【００１３】
操作の容易さは、吊上ブロックに、遠隔で制御され得る駆動部が設けられる実施形態においては、さらに向上される。
【００１４】
吊上ブロックの利用の分野をさらに拡大するために、実施形態においては、吊上ブロックは、少なくとも１つの巻上機が、送出巻上ケーブルに一定の張力を維持するように構成されることを特徴とする。
【００１５】
別の実施形態は、少なくとも１つの巻上機が、少なくとも１つの巻上機と送出巻上ケーブルの接続された外側端部との間の動きを減衰させるように構成される吊上ブロックに関する。
【００１６】
多目的に使用できる解決策は、少なくとも１つの巻上機が、吊上ブロックに取外し可能に接続される、吊上ブロックの実施形態により提供される。
【００１７】
発明された吊上ブロックは、有利には、既知の様式で持上クレーンの吊上ケーブルに接続されることができる。発明された吊上ブロックが設けられる持上クレーンと共に、任意の構造物が、原則として採用されることができ、上記の利点が少なくとも部分的に存在し得る。
【００１８】
任意の種類のクレーンには、原則として、本発明による吊上ブロックが設けられることができる。吊上ブロックの利点は、しかしながら、吊上ブロックがラチスブームクレーンの吊上ケーブルに接続されるときに特に明らかになる。このようなクレーンは、水平回転軸周りに回転可能なブームを使用し、クレーン自身は、一般的にはクレーン基部により提供される鉛直回転軸周りに回転することもできる。
【００１９】
本発明の別の側面は、持上ツールを係合要素に運んで積荷支承手段と連結するための方法に関する。発明された方法においては、本発明による吊上ブロックを有するクレーンが提供され、吊上ブロックの送出巻上ケーブルが持上ツールと連結され、持上ツールを積荷支承手段に運んで積荷支承手段と連結するために、送出巻上ケーブルが次に少なくとも１つの巻上機により引込まれる。方法の利点が特に明らかになる実施形態は、支持構造物が船舶の作業甲板を含むことを特徴とする。
【００２０】
本発明のさらに別の側面は、支持構造物に対して係合要素を安定化するための方法を含み、上記の吊上ブロックを有するクレーンは、支持構造物上に提供され、吊上ブロックの送出巻上ケーブルは、支持構造物と連結され、張力下で吊上ブロックを支持構造物に接続するために、送出巻上ケーブルは、次に少なくとも１つの巻上機により引込まれて張った状態に引っ張れる。
【００２１】
上記の方法の好ましい実施形態においては、送出巻上ケーブルは、一定の張力下に保持される。
【００２２】
さらに別の実施形態は、少なくとも２つの、好ましくは少なくとも４つの、巻上機が利用される、方法に関する。
【００２３】
方法は、原則として、吊上ブロックから吊るされる構造物の制御を維持するためかつ／または持上ツールをこの目的に適する任意の支持構造物と連結するために適用され得る。方法の利点が特に明らかになる実施形態は、支持構造物が浮かんでいる船舶の作業甲板を含むことを特徴とする。
【００２４】
発明された吊上ブロックは、有利には持上ツールが風力タービンまたは風力タービンの構成要素を持上げるように構成される方法の実施形態にも適用される。実施形態によると、方法は、この目的のために持上ツールにより風力タービンまたは風力タービンの構成要素を持上げるステップを含む。加えて、吊上ブロックは、他の用途、例えば石油およびガスプラットホームの設置、またはこのようなプラットホームの除去（撤去）にも適する。
【００２５】
この特許出願において説明される本発明の実施形態は、これらの実施形態の任意の可能な組合せで組合せられることができ、それぞれの実施形態は、分割出願の主題を個別に形成することできる。
【００２６】
本発明は、図面に限定されることなく、下記の図面を参照して説明される。
【図面の簡単な説明】
【００２７】
【図１】本発明の実施形態による吊上ブロックの概略斜視図である。
【図２】発明された吊上ブロックが利用される方法の実施形態の概略斜視図である。
【図３】発明された吊上ブロックが利用される方法の別の実施形態の概略斜視図である。
【図４】発明された吊上ブロックが利用される方法のさらに別の実施形態の概略斜視図である。
【発明を実施するための形態】
【００２８】
図１を参照すると、本発明の実施形態による吊上ブロック１が示される。吊上ブロック１は、互いに離れて配置された２つの支持部３を備え、滑車４が、支持部３内に、水平回転軸２周りに回転可能に受容される。滑車４は、図３および図４に示される持上クレーン６のブーム６０につながる複数の吊上ケーブル５に吊るされる。必要に応じて、クレーンの吊上ケーブル５は、吊上ブロック１の滑車４内に複数回配置されることができる。持上クレーンは、複数の吊上ケーブル作用を有するクレーンとして実施されることができる。持上クレーン６は、鉛直軸７周りで回転するために、船舶８の作業甲板８０上に位置付けられる基部６１に接続される。ブーム６０は、ラフケーブル６３を張ることまたは繰り出すことによる既知の様式で、基部６１の水平回転軸６２周りに回転させられることができる。
【００２９】
支持部３は、回転シャフト３０により、積荷フック１１の形式の係合要素が下側に配置される中央キャリア１０に接続される。必要に応じて、積荷フック１１は、（自由に吊るされた状態で）鉛直軸１２周りで回転するためにキャリア１０に接続されることができる。スリング１３（図２参照）または吊上フレームなどの持上ツールは、積荷フック１１と連結されることができる。積荷フック１１には、この目的のために、図１に示される４つの直立フック１１ａが設けられる。
【００３０】
本発明の示される実施形態によると、吊上ブロック１は、それぞれ送出巻上ケーブル９０を有する２つの巻上機９をさらに備える。巻上機９は、巻上機９と同様にキャリア１０の上面上に取付けられる電気モータ９１により駆動される。電圧源または遠隔制御部などの選択的な補助設備は、ハウジング９２内に受容される。電気モータに加えて、駆動部は、電気モータのためのバッテリー、燃料タンク、油圧タンクならびに／またはモータおよび油圧導管のための制御装置をさらに備えることができる。巻上機９、および必要に応じて補助設備は、選択的には取外し可能に吊上ブロック１のキャリア１０に接続され、簡単な様式で別の吊上ブロック上に配置されることができる。
【００３１】
送出巻上ケーブル９０は、キャリア１０の両側に沿って下方に延びるが、これは必須ではない。それぞれの送出巻上ケーブル９０は、必要に応じて、巻上ケーブル９０を、例えば吊上フック１１などの、別の要素と連結するための固定フック９０ａを自由外側端部に備える。
【００３２】
送出巻上ケーブル９０は、任意の必要な長さを有することができるが、意図される目的のために、それらの長さは、一般的には繰り出された状態で、吊上ブロック１の最大の特徴的な長さに類似の長さに制限され、好ましくは最大で５倍の長さであり、より好ましくは最大で３倍の長さであり、最も好ましくは最大で２倍の長さであり、例えば５ｍから１０ｍの間にある。
【００３３】
図２を参照すると、吊上ブロック１が持上クレーン６の吊上ケーブル５から吊るされた状態で、スリング１３などの持上ツールは、吊上フック１１に運ばれることができ、次に簡単な様式で吊上フック１１と連結されることができる。スリング１３は、例えば船舶８の作業甲板８０上に位置付けられることができる。吊上ブロック１を有するクレーン６は、この目的のために提供される。図２（Ａ）によると、荷重フック１１のフック１１ａに接続されるケーブル１００は、次にその自由外側端部を、例えば人力１４により、スリング１３を通して引張られ、次に自由外側端部が吊上ブロック１の送出巻上ケーブル９０の固定小穴９０ａに取付けられる（図２（Ｂ））。送出巻上ケーブル９０は、次に巻上機９により取込まれ、短縮された巻上ケーブル９０は、積荷フック１１の方向に沿ってスリング１３を運び、次にスリング１３を積荷フック１１のフック１１ａと連結する（図２（Ｃ））。
【００３４】
類似の様式において吊上ブロック１の積荷フック１１は、図３に示されるように、巻上ケーブル９０とともに、例えば風力タービンのジャケット基礎９５などの構造物に運ばれることができる。
【００３５】
図４を参照すると、発明された吊上ブロック１の別の利用が示される。示される方法において、積荷フック１１は、船舶８の作業甲板８０の形態の支持構造物に対して相対的に安定化される。作業甲板８０上で支持された持上クレーン６には、ブーム６０上に、本発明による吊上ブロック１が設けられる。吊上ブロック１には、４つの巻上機９が設けられる。巻上機９から延びる４本の巻上ケーブル９０は、次に作業甲板と、例えば作業甲板に取り付けられた４つのアンカー固定リング８１と、連結される。送出巻上ケーブル９０は、次に４つの巻上機９により引込まれ、好ましくは一定の張力で張られ、それにより、張力下で吊上ブロック１を作業甲板８０に接続する。吊上ブロック１およびそこに接続された積荷フック１１は、これにより制御下に維持され、より具体的には、作業甲板８０に対して固定された位置に保持される。ここで、吊上ブロック１の巻上機９は、巻上機９とアンカー固定リング８１との間の動きを減衰させるように構成されることが有利である。これは、例えば油圧導管内にスロットルバルブを提供することにより、または任意の他の既知の様式で、実行されることができる。
【００３６】
上記の実施形態には、例えば油圧源および電力源、それらのための供給導管などの周辺設備が設けられる必要があることは明らかであろう。この周辺設備は、さらに詳細には説明されない。
【符号の説明】
【００３７】
１…吊上ブロック、６…クレーン、８…船舶、９…巻上機、１１…積荷フック、１３…スリング、８０…作業甲板、９０…送出巻上ケーブル
【図１】
2021532039.tif 000003
【図２（Ａ）】
2021532039.tif 000004
【図２（Ｂ）】
2021532039.tif 000005
【図２（Ｃ）】
2021532039.tif 000006
【図３】
2021532039.tif 000007
【図４】
2021532039.tif 000008
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
スリング（１３）を含む持上ツールを係合要素に運んで積荷支承手段と連結するための方法であって、持上クレーンは、吊上ブロック（１）を有し、
前記吊上ブロック（１）は、
互いに離れて配置された２つの支持部（３）であって、滑車（４）が、前記支持部（３）内に、水平回転軸（２）周りに回転可能に受容され、前記滑車（４）は、前記持上クレーン（６）のブーム（６０）につながる複数の吊上ケーブル（５）に吊るされ、前記支持部（３）は、回転シャフト（３０）により、前記積荷フック（１１）の形式の係合要素が下側に配置される中央キャリア（１０）に接続される、支持部（３）と、２つの巻上機（９）であって、それぞれ送出巻上ケーブル（９０）を有し、前記巻上機（９）は、巻上機（９）と同様に前記キャリア（１０）の上面上に取付けられる電気モータ（９１）により駆動され、さらに、それぞれの巻上機（９）の前記送出巻上ケーブル（９０）は、前記持上ツールの前記スリング（１３）を前記係合要素（１１）に運んで前記係合要素（１１）と連結するように構成される、巻上機（９）と、を備え、
前記持上クレーンは、船舶の作業甲板を含む支持構造物上に提供され、前記吊上ブロックの送出巻上ケーブルが前記スリング（１３）と連結され、前記スリング（１３）を前記積荷支承手段に運んで前記積荷支承手段と連結するために、前記送出巻上ケーブルが次に前記少なくとも１つの巻上機により引込まれ、前記吊上ブロックの前記送出巻上ケーブルが前記スリング（１３）と連結され、前記積荷フック（１１）のフック（１１ａ）に接続されるケーブル（１００）は、その自由外側端部を、前記スリング（１３）を通して引張られ、次に前記自由外側端部が前記送出巻上ケーブル（９０）の固定小穴（９０ａ）に取付けられ、前記送出巻上ケーブル（９０）は、次に前記少なくとも１つの巻上機（９）により引込まれ、前記短縮された巻上ケーブル（９０）は、前記積荷フック（１１）の前記方向に沿って前記スリング（１３）を運び、次に前記スリング（１３）を前記積荷フック（１１）のフック（１１ａ）と連結する、方法。
【請求項２】
前記送出巻上ケーブルが、一定の張力下に保持される、請求項１に記載の方法。
【請求項３】
少なくとも２つの、好ましくは少なくとも４つの、巻上機が利用される、請求項１または２に記載の方法。
【請求項４】
前記持上ツールが、風力タービンまたは前記風力タービンの構成要素を持上げるように構成される、請求項１から３のいずれか１項に記載の方法。
【請求項５】
前記持上ツールにより風力タービンまたは前記風力タービンの構成要素を持上げるステップをさらに含む、請求項４に記載の方法。
【請求項６】
前記送出巻上ケーブル（９０）が、５ｍから１０ｍの間にある制限された長さを有する、請求項１から５のいずれか１項に記載の方法。
【請求項７】
前記吊上ブロックが、前記少なくとも１つの巻上機を駆動するための少なくとも１つの駆動部、特に電気駆動部を備える、請求項１から６のいずれか１項に記載の方法。
【請求項８】
前記駆動部が、遠隔で制御され得る、請求項７に記載の方法。
【請求項９】
前記少なくとも１つの巻上機が、前記少なくとも１つの巻上機と前記送出巻上ケーブルの前記接続された外側端部との間の動きを減衰させる、請求項１から８のいずれか１項に記載の方法。
【請求項１０】
前記少なくとも１つの巻上機が、前記吊上ブロックに取外し可能に接続される、請求項１から９のいずれか１項に記載の方法。
【国際調査報告】
2021532039.tif 000009
2021532039.tif 000010